(57)【要約】【課題】綴じ用具を円滑にカールさせて綺麗なリング状に加工することができると同時に、任意の大きさのリング状に容易に調整することができる。【解決手段】綴じ用具１０は、シート状物体を貫通してリング状に巻回されてシート状物体を綴じる用具本体１２を有する。この用具本体１２は、複数の折り目２０を有する。これらの各折り目２０は、少なくとも他の１つの折り目と交差して形成されている。各折り目２０の交差角度θを調整することにより、用具本体１２を容易に任意の大きさのリング状に折り曲げ加工することができる。【選択図】        図２
2005007737.tif 000002
【特許請求の範囲】
【請求項１】
シート状物体を貫通してリング状に巻回されて前記シート状物体を綴じる用具本体を有する綴じ用具において、前記用具本体は、複数の折り目を有し、前記各折り目は少なくとも他の１つの折り目と交差して形成されていることを特徴とする綴じ用具。
【請求項２】
請求項１に記載された綴じ用具であって、前記折り目は前記用具本体の横手方向にわたって形成されていることを特徴とする綴じ用具。
【請求項３】
請求項１又は請求項２のいずれかに記載された綴じ用具であって、前記折り目は曲線状に形成されていることを特徴とする綴じ用具。
【請求項４】
請求項３に記載された綴じ用具であって、前記折り目は波線状に形成されていることを特徴とする綴じ用具。
【請求項５】
請求項１乃至請求項４のいずれかに記載された綴じ用具であって、前記用具本体は紙製材料から形成されていることを特徴とする綴じ用具。
【請求項６】
請求項１乃至請求項５のいずれかに記載された綴じ用具であって、前記複数の折り目はプレス加工により形成されていることを特徴とする綴じ用具。
【請求項７】
請求項１乃至請求項６のいずれかに記載された綴じ用具であって、前記用具本体は、前記シート状物体を支持する台座に一体的に形成され、前記台座から突出して設けられていることを特徴とする綴じ用具。
【請求項８】
請求項１乃至請求項６のいずれかに記載された綴じ用具であって、前記用具本体は、前記シート状物体を支持する台座に一体的に形成され、前記台座の一部を切り起こして設けられていることを特徴とする綴じ用具。
【請求項９】
請求項７又は請求項８のいずれかに記載された綴じ用具であって、前記複数の折り目は前記台座を裁断加工する際に前記折り目を形成すべき箇所のみ切断又は穿孔しない程度にプレス加工することにより同時に形成されていることを特徴とする綴じ用具。
【発明の詳細な説明】
【０００１】
【発明の属する技術分野】
本発明は、例えば、卓上カレンダーやファイル等に適用されて、複数の紙片等のシート状物体を旋回自在に綴じる綴じ用具（ファイル用具）の改良に関するものである。
【０００２】
【従来の技術】
近年、例えば、卓上カレンダー等のように複数の紙片を綴じて形成される製品において、従来は金属製のリング等から形成されていた綴じ用具を、紙部分と金属部分との分別を要することなく簡易に廃棄処理するため、また、焼却処理の際の環境への影響を考慮して、紙製材料から形成することが提案されている（例えば、特許文献１乃至４参照）。
【０００３】
このように、この種の綴じ用具を紙製材料から形成した場合、複数の紙片を綴じる際に、綴じ用具を均等な屈曲半径で均一にカールさせて綺麗なリング状に加工させることが必ずしも容易ではなく、特に、綴じるべき紙片の枚数や厚みに応じた適切な大きさのリング状に調整してカールさせることが困難となるおそれがある。この問題に対応するためには、図５に示すように、綴じ用具１０の横手方向に、平行に配置された直線上の複数の折り目２０を形成して、綴じ用具１０を均等な間隔でカールさせ、かつ、強度を向上させることが考えられる（例えば、特許文献５乃至７参照）。
【０００４】
しかし、これらの従来技術のように、複数の折り目２０を形成しても、単にこれらの折り目２０を平行に配列しただけでは、その折り目２０間の間隔の大きさや、折り目２０の数によっては、加工後のリング状態が、より真円に近いという意味での円滑で綺麗なカールとはならない問題があった。
【０００５】
また、直線上の折り目２０を単に平行に配列すると、綴じ用具１０をカールさせる作業上も、曲げ応力を加える際に、力の入れ方、入れ具合によっては、一部の折り目２０にのみ曲げ応力が集中してしまい、各折り目２０を円滑にほぼ均等な角度で屈曲させることが必ずしも容易ではなく、その結果、各折り目２０間の屈曲角度にばらつきが存在する歪んだリング状となるおそれがあった。
【０００６】
更に、従来の綴じ用具１０では、綴じるべき紙片の枚数や厚みに応じて、曲げ加工後のリングの大きさを調整するためには、例えば、複数の折り目２０につき一つおきに間欠的に折り曲げ加工をしたり、各折り目２０の屈曲角度を適切に調整する必要があるのみならず、その作業が非常に困難で手間を要する欠点があった。このように、従来技術の綴じ用具１０では、円滑にカールさせることが必ずしも容易ではない問題があった。
【０００７】
【特許文献１】
特開２００１−２８７４８９号公報
【特許文献２】
特開２０００−２７２２８３号公報
【特許文献３】
特開２００１−８０２５８号公報
【特許文献４】
実用新案登録第３０７８６７６号公報
【特許文献５】
特開２００２−１４４７７９号公報
【特許文献６】
特開平１１−２２７３７４号公報
【特許文献７】
特開２０００−１９０６７４号公報
【０００８】
【発明が解決しようとする課題】
本発明が解決しようとする課題は、上記の問題点に鑑み、円滑にカールさせて綺麗なリング状に加工することができると同時に、任意の大きさのリング状に調整することが容易な綴じ用具を提供するものである。
【０００９】
【課題を解決するための手段】
本発明は、上記の課題を解決するための第１の手段として、シート状物体を貫通してリング状に巻回されてシート状物体を綴じる用具本体を有する綴じ用具において、用具本体は、複数の折り目を有し、これらの各折り目は少なくとも他の１つの折り目と交差して形成されていることを特徴とする綴じ用具を提供するものである。
【００１０】
このように、用具本体に形成された各折り目を、他の折り目と交差させて形成すると、折り目の少なくとも一部は用具本体の長手方向に指向する少なくとも斜め方向にも走るため、折り曲げ加工の際に加わった応力が、用具本体の長手方向にも伝達されて、ひいては、他の折り目にも容易に均等に伝達されるため、各折り目を円滑にほぼ均等な角度で屈曲させることができると共に、その結果、用具本体を綺麗なリング状に折り曲げ加工することができる。
【００１１】
また、この折り目の交差角度を調整することにより、各折り目の屈曲角度をある程度事前に調整することができるため、用具本体を、容易にかつ円滑に、所望の大きさ（直径）を有するリング状に加工することができる。
【００１２】
本発明は、上記の課題を解決するための第２の手段として、上記第１の解決手段において、折り目は用具本体の横手方向にわたって形成されていることを特徴とする綴じ用具を提供するものである。
【００１３】
本発明は、上記の課題を解決するための第３の手段として、上記第１又は第２のいずれかの解決手段において、折り目は曲線状に形成されていることを特徴とする綴じ用具を提供するものである。
【００１４】
このように、各折り目を単なる直線ではなく、曲線状に形成すると、各折り目の少なくとも一部を、容易に用具本体の長手方向に指向させることができ、各折り目をより一層円滑かつ容易に均等な屈曲角度で折り曲げて、用具本体を綺麗なリング状とすることができる。その具体的な手段として、本発明は、次の解決手段をも提供するものである。
【００１５】
即ち、本発明は、上記の課題を解決するための第４の手段として、上記第３の解決手段において、折り目は波線状に形成されていることを特徴とする綴じ用具を提供するものである。
【００１６】
このように、折り目を波線状に形成すると、他の折り目と２以上の箇所で容易に交差させることができ、用具本体をより一層円滑な屈曲状態を有する綺麗なリング状に折り曲げ加工することができる。
【００１７】
本発明は、上記の課題を解決するための第５の手段として、上記第１乃至第４のいずれかの解決手段において、用具本体は紙製材料から形成されていることを特徴とする綴じ用具を提供するものである。
【００１８】
このように、用具本体を紙製材料から形成すると、綴じるべき紙片と分別して廃棄する必要がないと同時に焼却処理をしても環境への影響が少ないのは勿論のこと、複数の折り目を容易に形成することができると共に、形成した折り目を簡易に折り曲げ加工することができる。
【００１９】
本発明は、上記の課題を解決するための第６の手段として、上記第１乃至第５のいずれかの解決手段において、複数の折り目はプレス加工により形成されていることを特徴とする綴じ用具を提供するものである。
【００２０】
本発明は、上記の課題を解決するための第７の手段として、上記第１乃至第６のいずれかの解決手段において、用具本体は、シート状物体を支持する台座に一体的に形成され、この台座から突出して設けられていることを特徴とする綴じ用具を提供するものである。
【００２１】
このように、用具本体を台座と一体的に形成すると同時に、この台座から突出するように設けると、用具本体を折り曲げ加工後に容易に台座に係止させることができると共に、設計が容易で、かつ、用具本体のサイズ、特に、長さを自由に設定することができるため、設計の自由度が増大し、様々なサイズのファイリング製品に対応することができる。
【００２２】
本発明は、上記の課題を解決するための第８の手段として、上記第１乃至第６のいずれかの解決手段において、用具本体は、シート状物体を支持する台座に一体的に形成され、この台座の一部を切り起こして設けられていることを特徴とする綴じ用具を提供するものである。
【００２３】
このように、用具本体を台座と一体的に形成すると同時に、この台座の一部を切り起こして設けると、用具本体を折り曲げ加工後に容易に台座に係止させることができると共に、ファイリング製品の材料を無駄なくする使用することができるため、コストを低減することができると同時に、裁断等により用具本体の形成、ひいてはファイリング製品の加工が容易となる。
【００２４】
本発明は、上記の課題を解決するための第９の手段として、上記第７又は第８のいずれかの解決手段において、複数の折り目は台座を裁断加工する際に折り目を形成すべき箇所のみ切断又は穿孔しない程度にプレス加工することにより同時に形成されていることを特徴とする綴じ用具を提供するものである。
【００２５】
このように、台座の裁断加工による形成と同時に折り目も形成すると、形成に要する時間とコストを低減して、綴じ用具を簡易に形成することができる。
【００２６】
【発明の実施の形態】
本発明の実施の形態を図面を参照しながら詳細に説明すると、図１及び図２は、本発明の綴じ用具１０を示し、この綴じ用具１０は、図１及び図２に示すように、長舌状の用具本体１２を備え、この用具本体１２は、特に図１に示すように、図示しない紙片等のシート状物体を支持する台座１に一体的に形成されている。
【００２７】
この用具本体１２は、図示しないシート状物体に形成された貫通孔を貫通した後、折り曲げ加工によりリング状に巻回される。この場合、綴じ用具１０の用具本体１２を、複数のシート状物体に跨って貫通させることにより、複数のシート状物体を旋回自在に綴じることができる。なお、このようにして、本発明の綴じ用具１０を適用して、複数の紙片等のシート状物体を旋回自在に綴じる製品としては、例えば、卓上カレンダー等を挙げることができる。
【００２８】
また、綴じ用具１０は、図１に示すように、巻回された用具本体１２をリング状に保持する係止手段１４を有する。この係止手段１４は、図示の実施の形態では、用具本体１２に形成された切り込み１６と、台座１に形成され、この切り込み１６に係止する係止溝１８とから成っているのが示されている。但し、係止手段１４は、用具本体１２をリング状に保持できれば、必ずしもこれらの切り込み１６及び係止溝１８に限定されるものではなく、他の適宜な構成とすることができる。なお、用具本体１２の幅や長さ等は、強度や綴じるべきシート状物体の厚みや枚数等に応じて適宜決定することができる。
【００２９】
本発明においては、用具本体１２は、図１及び図２に示すように、用具本体１２の横手方向にわたって形成された複数の折り目２０を有し、これらの各折り目２０は、少なくとも他の１つの折り目２０と交差して形成されている。
【００３０】
より具体的には、図２に示す実施の形態では、複数の折り目２０は、各々直線状に形成されている。また、これらの各折り目２０は、長舌状の用具本体１２の横手方向の端面１２ａに対して、直交するように配置されるのではなく、傾斜して配置され、用具本体１２の両方の端面１２ａをわたる間に、同様にして傾斜して配置された他の折り目２０と少なくとも１箇所以上、図示の実施の形態では各折り目２０が、他の２つ以上の折り目２０に跨って配置されることにより、これらの２つ以上の折り目２０と交差することにより、複数の折り目２０が網目状に形成されている。
【００３１】
これにより、折り目２０は用具本体１２の長手方向にも指向するため、折り曲げ加工の際に加わった応力が、用具本体１２の長手方向にも伝達されて、ひいては、他の折り目２０にも容易に均等に伝達されるため、各折り目２０を円滑にほぼ均等な角度で屈曲させることができると共に、その結果、用具本体１２を綺麗なリング状に折り曲げ加工することができる。
【００３２】
また、この場合、これらの複数の折り目２０の交差角度θ（図２参照）や、また、挌折り目２０間の間隔Ｓ（図２参照）は、綴じるべきシート状物体の厚みや枚数に応じて、適宜設定することができる。具体的には、交差角度θや間隔Ｓを大きく設定するに従い、円滑に大きな直径のリング状とすることができ、一方、小さく設定するに従い、円滑に小さな直径のリング譲渡することができる。
【００３３】
このように、この交差角度θや間隔Ｓを調整することにより、各折り目２０の屈曲角度をある程度事前に調整することができるため、用具本体１２を、容易にかつ円滑に、所望の大きさ（直径）を有するリング状に加工することができる。なお、これらの複数の折り目２０は、用具本体１２のうち、少なくとも、リング状に折り曲げ加工される部分にのみ対応して形成すれば足り、具体的には、特に図２に示すように、少なくとも切り込み１６までの間に形成すればよい。もっとも、係止溝２０への係止作業等の便宜を考慮して、この切り込み１６より先端側にも折り目２０を形成することを妨げる趣旨ではない。
【００３４】
また、図２に示す実施の形態では、各折り目２０は、直線状に形成されているが、必ずしも、直線に限定されるものではなく、他の実施の形態として、例えば、図３に示すように、折り目２０を、曲線状に形成することもできる。より具体的には、図３に示す実施の形態では、折り目２０が、波線状に形成されているのが示されている。
【００３５】
これにより、各折り目２０の少なくとも一部を、容易に用具本体１２の長手方向に指向させることができ、各折り目２０をより一層円滑かつ容易に均等な屈曲角度で折り曲げて、用具本体１２を綺麗なリング状とすることができ、特に、折り目２０を、図３に示すように、波線状に形成すると、他の折り目２０と２以上の箇所で容易に交差させることができる。
【００３６】
また、用具本体１２は、図１に示すように、台座１の一部の所定の箇所を、切り起こして設けられている。これにより、用具本体１２を折り曲げ加工後に容易に台座１に係止させることができると共に、ファイリング製品の材料を無駄なくする使用することができるため、コストを低減することができると同時に、裁断等により用具本体１２の形成、ひいてはファイリング製品の加工が容易となる。
【００３７】
この場合、具体的には、台座１の形成や用具本体１２や係止溝１８の切り入れ作業は、裁断加工により行うことができるが、この台座１を裁断加工する際に、同時に折り目２０を形成すべき箇所のみ切断又は穿孔しない程度にプレス加工することにより、複数の折り目２０を同時に形成することができる。このように、台座１や用具本体１２等の裁断加工による形成と同時に折り目２０も形成すると、形成に要する時間とコストを低減して、綴じ用具１０を簡易に形成することができる。
【００３８】
また、この場合、台座１や用具本体１２は、裁断及びプレス加工が可能で、ある程度の可撓性を有する材料から形成することができる。また、特に、焼却しても環境に悪影響を与えない材料を使用することが好ましい。このような観点から、具体的には、例えば、無毒性のプラスチック製シート等を加工することにより形成することもできるが、特に、紙製材料から形成することが望ましい。これにより、本発明の綴じ用具１０を用いたファイル製品において、綴じ用具１０を、綴じるべき紙片等のシート状物体と分別して廃棄する必要がないと同時に、焼却処理をしても環境への影響が少なくすることができる。加えて、複数の折り目２０を容易に形成することができると共に、形成した折り目２０を簡易に折り曲げ加工してリング状とすることができる。
【００３９】
なお、図１に示す実施の形態では、用具本体１２は、台座１を切り起こして設けたが、必ずしも、これに限定されるものではなく、他に、例えば、図４に示すように、この台座１から突出するようにして設けられることもできる。これによっても、用具本体１２を折り曲げ加工後に容易に台座１に係止させることができると共に、設計が容易で、かつ、用具本体のサイズ、特に、長さを自由に設定することができるため、設計の自由度が増大し、様々なサイズのファイリング製品に対応することができる。
【００４０】
なお、図示の実施の形態では、いずれも、用具本体１２を、シート状物体を支持する台座１に一体的に形成したが、必ずしも台座と一体的に形成する必要はなく、用具本体をリング状に折り曲げ加工して複数のシート状物体を綴じることができれば、例えば、具本体１２自体の端部に係止溝等を形成した単体の綴じ用具１０とすることもできるのは勿論である。この場合に、用具本体１２を裁断加工により形成することができ、同時に、複数の折り目２０をプレス加工により形成することもできる。
【００４１】
【発明の効果】
本発明によれば、上記のように、用具本体に形成された各折り目を、他の折り目と交差させて形成しているため、折り目の少なくとも一部は用具本体の長手方向に指向する少なくとも斜め方向にも走るので、折り曲げ加工の際に加わった応力が、用具本体の長手方向にも伝達されて、ひいては、他の折り目にも容易に均等に伝達され、従って、各折り目を円滑にほぼ均等な角度で屈曲させることができると共に、その結果、用具本体を綺麗なリング状に折り曲げ加工することができる実益がある。
【００４２】
また、この場合、この折り目の交差角度を調整することにより、各折り目の屈曲角度をある程度事前に調整することができるため、用具本体を、容易にかつ円滑に、所望の大きさ（直径）を有するリング状に加工することができる実益がある。
【００４３】
本発明によれば、上記のように、各折り目を単なる直線ではなく、曲線状に形成しているため、各折り目の少なくとも一部を、容易に用具本体の長手方向に指向させることができ、各折り目をより一層円滑かつ容易に均等な屈曲角度で折り曲げて、用具本体を綺麗なリング状とすることができる実益がある。
【００４４】
本発明によれば、上記のように、折り目を波線状に形成しているため、他の折り目と２以上の箇所で容易に交差させることができ、用具本体をより一層円滑な屈曲状態を有する綺麗なリング状に折り曲げ加工することができる実益がある。
【００４５】
本発明によれば、上記のように、用具本体を紙製材料から形成しているため、綴じるべき紙片と分別して廃棄する必要がないと同時に焼却処理をしても環境への影響が少ないのは勿論のこと、複数の折り目を容易に形成することができると共に、形成した折り目を簡易に折り曲げ加工することができる実益がある。
【００４６】
本発明によれば、上記のように、用具本体を台座と一体的に形成すると同時に、この台座から突出するように設けているため、用具本体を折り曲げ加工後に容易に台座に係止させることができると共に、設計が容易で、かつ、用具本体のサイズ、特に、長さを自由に設定することができるので、設計の自由度が増大し、様々なサイズのファイリング製品に対応することができる実益がある。
【００４７】
本発明によれば、上記のように、用具本体を台座と一体的に形成すると同時に、この台座の一部を切り起こして設けているため、用具本体を折り曲げ工後に容易に台座に係止させることができると共に、ファイリング製品の材料を無駄なくする使用することができるので、コストを低減することができると同時に、裁断等により用具本体の形成、ひいてはファイリング製品の加工が容易となる実益がある。
【００４８】
本発明によれば、上記のように、台座の裁断加工による形成と同時に折り目も形成しているため、形成に要する時間とコストを低減して、綴じ用具を簡易に形成することができる実益がある。
【図面の簡単な説明】
【図１】本発明の綴じ用具の概略平面図である。
【図２】本発明に用いられる用具本体の拡大平面図である。
【図３】本発明に用いられる用具本体の他の実施の形態の拡大平面図である。
【図４】本発明の綴じ用具の他の実施の形態の概略平面図である。
【図５】従来の綴じ用具の概略平面図である。
【符号の説明】
１  台座
１０  綴じ用具
１２  用具本体
１２ａ  用具本体の横手方向の端面
１４  係止手段
１６  切り込み
１８  係止溝
２０  折り目
【図１】
2005007737.tif 000003
【図２】
2005007737.tif 000004
【図３】
2005007737.tif 000005
【図４】
2005007737.tif 000006
【図５】
2005007737.tif 000007